(57)【特許請求の範囲】
【請求項１】
常時に外部電源から電力の供給を受けて充電され前記外部電源からの電力の供給が異常となる非常時に電力を出力する蓄電池部からの電力を、点灯制御部が給電経路を介して出力させることで点灯制御する光源部を有する非常用照明器具であって、
前記光源部は、照明光を照射するＬＥＤを備えるとともに、前記ＬＥＤの消灯中に該ＬＥＤが周囲の、別途に外部に設けられた照明器具からの光を受光して前記ＬＥＤの光電効果により生じる電流を前記光源部から出力経路を介して出力する出力部と電気的に接続させており、
前記出力部と電気的に接続された制御回路部を備え、該制御回路部は、前記出力部から出力された電流に基づいた前記ＬＥＤが受光した光量に対応する出力値と、予め設定した所定の設定値との差を小さくする制御信号を、前記照明器具の調光制御部に出力することで前記照明器具の光源から照射される光を調光することを特徴とする非常用照明器具。
【請求項２】
前記光源部は、複数個の前記ＬＥＤを備え、複数個の前記ＬＥＤの少なくとも一つを前記出力部と電気的に接続させていることを特徴とする請求項１に記載の非常用照明器具。
【発明の詳細な説明】
【技術分野】
【０００１】
本発明は、外部電源からの電力の供給が異常となる非常時に、光源部から照明光を照射する非常用照明器具に関するものである。
【背景技術】
【０００２】
従来より、建物などには、避難通路の照度を確保する非常用照明器具が設けられている。非常用照明器具は、火災や地震などで外部電源に停電などの異常が発生した場合でも、避難者が避難方向や周囲の状況を把握できなくなり避難が困難になることを防止することを目的としている。
【０００３】
この種の非常用照明器具は、内部に白熱灯や蛍光ランプなどの光源部と、非常時に電力を光源部に出力する蓄電池部とを備えている。非常用照明器具は、火災や地震などで外部電源に停電などの異常が発生した場合、光源部が自動的に点灯できるように蓄電池部から光源部に給電できるように構成されている。これにより、非常用照明器具は、停電など外部電源から電力の供給が異常となる非常時に、内蔵する蓄電池部らの電力で光源部を自動的に点灯し、避難者が避難するための照度を確保することができる。
【０００４】
また、この種の非常用照明器具として、光源部と、常時に外部電源である商用電源から電力の供給を受けて充電されるとともに非常時に光源部へ電力を供給する充放電が可能な蓄電池部と、室内の照度を検出する光センサと、光センサからの出力を検出し蓄電池部から光源部への給電を阻止するスイッチ回路とを備えた非常用照明器具が知られている（たとえば、特許文献１を参照）。
【０００５】
さらに、別の非常用照明器具として、常時に主電源から電力の供給を受けて光源部を点灯させる常用点灯回路と、常時に主電源あるいは太陽電池から電力の供給を受けて充電されるとともに、非常時に非常用点灯回路を介して光源部へ電力を供給する充放電が可能な蓄電池部と、光センサの出力により常時に避難誘導に支障がない光量レベルまで主電源から常用点灯回路への入力を制限する制限回路とを備えた非常用照明器具も知られている（たとえば、特許文献２を参照）。
【０００６】
これらの非常用照明器具は、非常用照明器具に光源部と別に設けた光センサからの出力に基づいて、非常用照明器具自体の機能が制御されている。また、上述の非常用照明器具の光センサは、非常用照明器具とは別途に外部に設けられた器具や機器に利用可能なものではない。
【先行技術文献】
【特許文献】
【０００７】
【特許文献１】実開昭５８−１３１５９４号公報
【特許文献２】実開平４−３６８００号公報
【発明の概要】
【発明が解決しようとする課題】
【０００８】
ところで、非常用照明器具は、室内や通路において、非常時の避難通路などの照度を確保するため、所定の間隔で建物の天井材などの造営材に埋め込むなどして配置されている。上述の特許文献１の非常用照明器具では、非常時以外は別途に利用できる機能がなく、常時は他に利用することができない。すなわち、特許文献１の非常用照明器具は、常時に利用する方法がない複数個の非常用照明器具が天井材などの造営材に配置されていることになる。
【０００９】
これに対し、上述の特許文献２の非常用照明器具は、非常時以外も光源部から光を照射させる機能がある。しかしながら、通常、一般の照明器具が造営材に既設されており、非常時以外も光を照射する非常用照明器具は、一般の照明器具と別途に設置させて併用する場合も限られる。
【００１０】
より付加価値の高い非常用照明器具が求められる現在においては、上述の非常用照明器具では十分ではなく常時においても、他に利用可能な機能を備えたものが求められる。
【００１１】
本発明は上記事由に鑑みてなされたものであり、その目的は、簡単な構成で、非常用照明器具とは別途に外部に設けられた器具や機器に利用できる機能を付加することが可能な非常用照明器具を提供することにある。
【課題を解決するための手段】
【００１２】
本発明の非常用照明器具は、常時に外部電源から電力の供給を受けて充電され上記外部電源からの電力の供給が異常となる非常時に電力を出力する蓄電池部からの電力を、点灯制御部が給電経路を介して出力させることで点灯制御する光源部を有する非常用照明器具であって、上記光源部は、照明光を照射するＬＥＤを備えるとともに、上記ＬＥＤの消灯中に該ＬＥＤが周囲の、別途に外部に設けられた照明器具からの光を受光して上記ＬＥＤの光電効果により生じる電流を上記光源部から出力経路を介して出力する出力部と電気的に接続させており、上記出力部と電気的に接続された制御回路部を備え、該制御回路部は、上記出力部から出力された電流に基づいた上記ＬＥＤが受光した光量に対応する出力値と、予め設定した所定の設定値との差を小さくする制御信号を、上記照明器具の調光制御部に出力することで上記照明器具の光源から照射される光を調光することを特徴とする。
【００１３】
この発明において、上記光源部は、複数個の上記ＬＥＤを備え、複数個の上記ＬＥＤの少なくとも一つを上記出力部と電気的に接続させていることが好ましい。
【発明の効果】
【００１５】
本発明の非常用照明器具は、簡単な構成で、非常用照明器具とは別途に外部に設けられた器具や機器に利用できる機能を付加することが可能な非常用照明器具を提供できるという顕著な効果がある。
【図面の簡単な説明】
【００１６】
【図１】本実施形態の照明器具を示す概略ブロック図である。
【発明を実施するための形態】
【００１７】
非常用照明器具１０は、たとえば、天井材や壁材などの造営材に取り付けられて避難用の通路などに照明光を照射するものである。以下、本実施形態の非常用照明器具１０について、図１に基づいて説明する。
【００１８】
本発明の非常用照明器具１０は、たとえば、有底円筒状の器具本体（図示していない）の内部に外部電源たる商用電源ＡＣと電気的に接続された蓄電池制御部５を備えている。非常用照明器具１０は、蓄電池制御部５と、器具本体の内部の蓄電池部２（たとえば、リチウムイオン二次電池、ニッケル・水素電池、ニッケル・カドミウム蓄電池など）とを電気的に接続させており、蓄電池制御部５が常時に商用電源ＡＣから電力の供給を受けて蓄電池部２を充電可能に構成している。蓄電池制御部５は、蓄電池部２に過充電や過放電が生じないように、蓄電池部２の電圧を検知しながら蓄電池部２の充電や放電を制御する。また、非常用照明器具１０は、蓄電池制御部５と、器具本体の内部の光源部１を点灯させる点灯制御部３とを電気的に接続させている。ここで、蓄電池制御部５は、商用電源ＡＣからの電力の供給が異常となる非常時を検知した場合、蓄電池部２の電力を給電経路３ａを介して点灯制御部３に供給する。点灯制御部３は、蓄電池制御部５側から蓄電池部２の電力を給電経路３ａを介して出力し光源部１の点灯を制御する。なお、光源部１は、図示していないが、器具本体の内部に収納され、有底円筒状の器具本体の開口部を覆うレンズを介して、光源部１からの照明光を外部に照射することが可能に構成している。
【００１９】
本実施形態の非常用照明器具１０は、光源部１にＬＥＤ１ａを備えている。光源部１のＬＥＤ１ａは、照明光を照射する。また、非常用照明器具１０の光源部１は、ＬＥＤ１ａの消灯中に該ＬＥＤ１ａが非常用照明器具１０の周囲からの光を受光してＬＥＤ１ａの光電効果により生じる電流を光源部１から出力経路４ａを介して出力する出力部４と電気的に接続させている。なお、図１に示す本実施形態の非常用照明器具１０では、給電経路３ａの一部を出力経路４ａの一部と兼用させている。出力部４は、たとえば、有底円筒状の器具本体における外周部に備えられ、外部と電気的に接続することが可能なコネクタ（図示していない）の構造に形成されている。
【００２０】
本実施形態の非常用照明器具１０は、たとえば、出力部４と電気的に接続させる制御回路部６を器具本体の円筒状の外周面に設けたホルダー部に着脱自在に保持させて、非常用照明器具１０に制御回路部６を後付け可能に構成している。制御回路部６が付加された非常用照明器具１０ａは、制御回路部６と、別途の外部に設けられた一般の照明器具１１の調光制御部１２とを出力線６ａを用いて接続している。そして、制御回路部６は、制御回路部６が付加された非常用照明器具１０ａの出力部４から出力された電流に基づいたＬＥＤ１ａが受光した光量に対応する出力値と、予め設定した所定の設定値との差を小さくする制御信号を出力する。
【００２１】
すなわち、制御回路部６が付加された非常用照明器具１０ａは、ＬＥＤ１ａの消灯中に、ＬＥＤ１ａが非常用照明器具１０ａの周囲から光を受光してＬＥＤ１ａの光電効果により生ずる電流を出力部４から制御回路部６に出力する。制御回路部６では、出力部４から出力された電流を電流電圧変換した電圧値を用いて非常用照明器具１０の周囲の照度を計測し、計測した照度に応じた出力値と、予め設定した所定の設定値との差により、照明器具１１の光源１４から照射される光を調光する制御信号や照明器具１１を点灯制御する電力を供給することが可能に構成している。
【００２２】
これにより、制御回路部６は、非常用照明器具１０ａの別途に外部に設けられた器具や機器として、照明器具１１の調光制御部１２に制御信号を出力することで、照明器具１１の光源１４から照射される光を調光することができる。なお、非常用照明器具１０ａの別途に外部に設けられる器具や機器は、制御回路部６に限られず、たとえば、非常用照明器具１０ａとは別途に設けられ、異なる発光色を発光する複数種のＬＥＤを光源として備えた照明器具から照射される光の色調を調整する制御器具や、昼夜を検知して窓辺に設けられたシャッターの開閉を制御する外部機器などが挙げられる。
【００２３】
本実施形態の非常用照明器具１０は、ＬＥＤ１ａと出力経路４ａを介して電気的に接続された出力部４を備えている。これにより、非常用照明器具１０は、非常時に光源部１の照明光を照射するＬＥＤ１ａを、ＬＥＤ１ａの消灯中に該ＬＥＤ１ａが非常用照明器具１０の周囲からの光を受光してＬＥＤ１ａの光電効果により生じる電流を出力させる光センサとしての機能を発揮させることが可能となる。
【００２４】
また、非常用照明器具１０は、非常用照明器具１０の出力部４に制御回路部６を電気的に接続させて後付けすることにより、光センサの機能を備えた非常用照明器具１０ａとし、別途に外部に設けられた照明器具１１の調光に用いられる光センサ部の機能をはたすことが可能となる。
【００２５】
本実施形態の非常用照明器具１０は、所定の間隔で建物の天井材などの造営材に埋め込む複数個の非常用照明器具１０のうち、別途に外部に設けられた照明器具１１の調光に用いられる光センサ部としての機能が必要な非常用照明器具１０の出力部４のみに制御回路部６を電気的に接続させて光センサの機能を追加することができる。そのため、非常用照明器具１０は、非常用照明器具１０を造営材に施工後に、後から光センサの機能を備えた非常用照明器具１０ａとすることができる。また、光センサの機能を発揮させる非常用照明器具１０ａは、造営材に埋め込まれる有底円筒状の器具本体の外周部に制御回路部６を配置する。これにより、複数個の非常用照明器具１０，１０ａを造営材に設置させる場合、光センサの機能を発揮させる非常用照明器具１０ａと、光センサの機能を発揮させない非常用照明器具１０とは、天井材から露出する外観の意匠の統一を図ることも可能となる。
【００２６】
また、非常用照明器具１０は、制御回路部６を追加して光センサの機能を発揮させる非常用照明器具１０ａと、制御回路部６がなく光センサの機能を発揮させない非常用照明器具１０とを同じ構成で形成することができる。そのため、非常用照明器具１０は、量産性よく製造することが可能となり、非常用照明器具１０の製造コストを低減させることができる。さらに、非常用照明器具１０は、所定のピッチで造営材などに複数個の非常用照明器具１０を配置させても、別途に外部に設けられた照明器具１１を調光するための光センサ部のために非常用照明器具１０の設置位置を調整する必要もない。そのため、天井材などの造営材は、照明器具１１、非常用照明器具１０の他に、照明器具１１の調光に用いられる光センサ部が別途に設置されて造営材の外観が煩雑となることもなく、照明器具１１および同じ種類の非常用照明器具１０だけが造営材に設置され意匠の統一を図ることが可能となる。なお、非常用照明器具１０は、器具本体の内部に必ずしも蓄電池部２、点灯制御部３および蓄電池制御部５を収納させる必要はない。したがって、非常用照明器具１０は、給電経路３ａや出力経路４ａと電気的に接続させた光源部１と、出力経路４ａと電気的に接続させた出力部４とを器具本体に備えさせた構成でも良い。この場合、非常用照明器具１０は、器具本体の内部に収納した光源部１と、器具本体の外部に別途に設けた蓄電池部２、点灯制御部３および蓄電池制御部５とを電気的に接続させた構成とすればよい。
【００２７】
以下、本実施形態の非常用照明器具１０の各構成について詳述する。
【００２８】
非常用照明器具１０に用いられる光源部１は、商用電源ＡＣの異常時に蓄電池部２からの電力で点灯可能なものであって、図示していない実装基板（たとえば、セラミック基板など）の実装パターンと電気的に接続させるＬＥＤ１ａを挙げることができる。このような光源部１は、複数個のＬＥＤ１ａを備えて構成してもよく、１個のＬＥＤ１ａで構成させることもできる。ＬＥＤ１ａを点灯させることなく光センサとして機能させる場合、ＬＥＤ１ａは、ＬＥＤ１ａ自体の劣化によりＬＥＤ１ａの点灯時に照明光を照射する機能の低下が生ずることが実質的にない。すなわち、非常用照明器具１０は、常時にＬＥＤ１ａを光センサの機能を発揮する構成としても、非常用照明器具１０の光源部１として必要な照度を確保する機能を阻害することがない。
【００２９】
光源部１のＬＥＤ１ａは、一般に、発光スペクトルの半値幅が狭い単色性の光を発光する。ここで、人の目は、単色性の光が照射された環境下において、錯覚が生じ距離感が把握しづらいという性質がある。そのため、非常用照明器具１０の光源部１は、避難者が避難通路の距離感を認識するため複数種類のＬＥＤ１ａを用いて混色光を照射させることが好ましい。たとえば、非常用照明器具１０から照射させる光を白色光とする場合、光源部１は、青色光を発光する青色ＬＥＤと、緑色光を発光する緑色ＬＥＤと、赤色光を発光する赤色ＬＥＤとを用いて各発光色を混色させて白色光を得る構成とすればよい。また、光源部１は、青色ＬＥＤと、黄色光を発光する黄色ＬＥＤとを備え、青色光と黄色光とを混色させて白色光を得る構成としてもよい。
【００３０】
ＬＥＤ１ａは、ＬＥＤ１ａの消灯中に該ＬＥＤ１ａが非常用照明器具１０の周囲からの光を受光してＬＥＤ１ａの光電効果により電流が生ずる。このようなＬＥＤ１ａの光電効果は、基本的にＬＥＤ１ａを構成する構成元素のバンドギャップエネルギの大きさに依存する。そのため、ＬＥＤ１ａは、たとえば、ｐｎ接合を備えインジウム含有の窒化ガリウム系化合物半導体で構成させた青色ＬＥＤの場合、基本的に青色の発光ピーク波長よりも長波長側の光を受光して光電効果による電流を外部に出力させることができる。同様に、ＬＥＤ１ａは、ｐｎ接合を備え、青色ＬＥＤよりもインジウムの含有量が多い窒化ガリウム系化合物半導体で構成させた緑色ＬＥＤの場合、基本的に緑色の発光ピーク波長よりも長波長側の光を受光して光電効果による電流を外部に出力させることができる。また、ＬＥＤ１ａは、ｐｎ接合を備え、アルミニウム・インジウム・ガリウム・リン系化合物半導体で構成させた赤色ＬＥＤの場合、基本的に赤色の発光ピーク波長よりも長波長の光を受光して光電効果による電流を外部に出力させることができる。
【００３１】
ＬＥＤ１ａは、一般にｐｎ接合を備えた半導体発光素子であり、通電によりｐｎ接合部にキャリア（電子およびホール）が注入され、電子とホールの再結合が起こると再結合前後のエネルギの差分が光量子として放出されて発光する。ここで、非常用照明器具１０の周囲からの光がＬＥＤ１ａに入射した場合、ＬＥＤ１ａは、発光とは逆のプロセスでｐｎ接合部に電子とホールとの移動が生じることで電流が流れるフォトダイオードとして機能させことができる。なお、化合物半導体を材料とし可視光を発光するＬＥＤ１ａは、シリコンを材料とするフォトダイオードと比較して光電効果による電流を外部に出力させる起電力を高くすることができる。
【００３２】
非常用照明器具１０に用いられる光源部１は、複数個のＬＥＤ１ａの少なくとも一つを出力部４と電気的に接続させて、ＬＥＤ１ａの消灯中に該ＬＥＤ１ａが非常用照明器具１０の周囲からの光を受光してＬＥＤ１ａの光電効果により生ずる電流を出力部４から出力可能に構成すればよい。光源部１は、たとえば、上述の青色ＬＥＤ、緑色ＬＥＤ、赤色ＬＥＤなど複数種類のＬＥＤ１ａのうち、外部の照明器具１１の光源１４の種類（たとえば、蛍光灯、白熱灯やＬＥＤなど）に応じて、光源１４から照射される光の発光波長を効率よく吸収して光電変換の可能なＬＥＤ１ａだけを出力部４と電気的に接続させる構成とすることができる。すなわち、光源部１は、複数種類のＬＥＤ１ａのうち、外部の照明器具１１の光源１４から照射される光に対して光電効果の高いＬＥＤ１ａだけを出力経路４ａを介して出力部４と電気的に接続させればよい。また、光源部１は、複数個の同種のＬＥＤ１ａ（たとえば、青色ＬＥＤ）のうち少なくとも１つを出力部４と電気的に接続させるものでもよい。光源部１は、複数個のＬＥＤ１ａの電気的な接続を実装基板の実装パターンを用いて直列、並列や直並列にすることができる。
【００３３】
ＬＥＤ１ａは、半導体発光素子となるＬＥＤチップ単体で構成してもよい。また、ＬＥＤ１ａは、図示していないが、たとえば、通電することにより、青色光を放射するＬＥＤチップ、緑色光を放射するＬＥＤチップおよび赤色光を放射するＬＥＤチップと、各ＬＥＤチップを収納する収納凹所が一表面に設けられたセラミック（たとえば、アルミナなど）製のパッケージ本体とを備えた白色光が発光可能な構造とすることもできる。収納凹所には、各ＬＥＤチップを被覆する透光性材料（たとえば、シリコーン樹脂、エポキシ樹脂、アクリル樹脂、ポリカーボネート樹脂やガラスなど）を設けることができる。また、ＬＥＤ１ａは、パッケージ本体の他表面に外部接続用電極（図示していない）を設け、該外部接続用電極と実装基板の実装パターンとが半田からなる接合部（図示していない）を介して電気的に接続させることができる。また、ＬＥＤ１ａは、青色光を放射するＬＥＤチップ、緑色光を放射するＬＥＤチップおよび赤色光を放射するＬＥＤチップを共にパッケージ本体に備える構成だけでなく、各色のＬＥＤチップを個別に備えた構成としてもよい。
【００３４】
蓄電池部２は、リチウムイオン二次電池、ニッケル・水素電池、ニッケル・カドミウム蓄電池などの二次電池を利用することができる。また、蓄電池部２は、一個の二次電池だけでもよいし、複数個の二次電池を直列、並列や直並列に電気的に接続させたものを用いてもよい。このような蓄電池部２は、単電池をニッケル板などで接続して適宜の配列で並べ、熱収縮チューブや樹脂ケースなどでパックし、リード線やコネクタ、タブ端子が結線された組電池として用いることもできる。二次電池の形状も円筒形状だけに限らず板形状など所望に応じて種々の形状のものを用いることができる。
【００３５】
点灯制御部３は、光源部１のＬＥＤ１ａの点灯を制御する。点灯制御部３は、蓄電池制御部５を介して供給される蓄電池部２からの電力を制御して光源部１に供給することが可能に構成している。そのため、点灯制御部３は、給電経路３ａを介して光源部１と電気的に接続させている。給電経路３ａは、各種のリード線（たとえば、フッ素樹脂で被膜された銅線）などで適宜に構成すればよい。点灯制御部３は、蓄電池制御部５から供給される蓄電池部２の電流がＬＥＤ１ａを点灯させるのに適したものになるように、ＤＣ−ＤＣコンバータや電流制限抵抗などにより構成すればよい。
【００３６】
出力部４は、出力経路４ａによって光源部１と電気的に接続されている。出力部４は、ＬＥＤ１ａの消灯中に該ＬＥＤ１ａが非常用照明器具１０の周囲からの光を受光してＬＥＤ１ａの光電効果により生じる電流を出力することが可能なものである。出力部４は、後述する制御回路部６側と着脱自在で電気的に接続できるようにコネクタで構成することができる。出力部４は、たとえば、制御回路部６と接続させやすいように有底円筒状の器具本体の外周部に設けることができるが、これのみに限られない。なお、出力経路４ａは、リード線（たとえば、フッ素樹脂で被膜された銅線）などで適宜に構成すればよい。
【００３７】
蓄電池制御部５は、常時に商用電源ＡＣで蓄電池部２を充電させ、商用電源ＡＣからの電力の供給が異常となる非常時に蓄電池部２から点灯制御部３側に電力を供給させる。蓄電池制御部５は、たとえば、外部電源たる商用電源ＡＣに接続されるトランスと、該トランスを介して入力される交流を直流に変換して蓄電池部２を充電する充電器と、商用電源ＡＣの停電を検出する検出器と、該検出器によって商用電源ＡＣの停電を検出して蓄電池部２から点灯制御部３への出力を制御するマイクロコンピュータからなる制御部とを備えた構成としている。蓄電池制御部５は、検出器によって商用電源ＡＣの停電を検出すると、制御部により充電器から蓄電池部２への充電が停止され、蓄電池部２からの電力を点灯制御部３側に出力するように制御される。これにより、蓄電池部２は充電状態から放電状態に転じるとともに放電された直流電流が点灯制御部３側に出力される。また、蓄電池制御部５は、蓄電池部２の端子電圧を測定する測定部を備え、測定部で測定した測定電圧値と、予め記憶手段（図示していない）で記憶させた蓄電池部２の過放電などにより生ずる高インピーダンス状態の電圧値とをコンパレータ（図示していない）で比較し、比較結果に基づいて蓄電池部２の放電を制御することにより過放電を防止する構成を備えてもよい。
【００３８】
制御回路部６は、非常用照明器具１０の出力部４と電気的に接続させ非常用照明器具１０に後付可能なものである。制御回路部６は、たとえば、非常用照明器具１０側の出力部４となるコネクタに接続可能なコネクタ部から導出した電線コードを備え、制御回路部６と出力部４とを電気的に接続させることが可能に構成している。また、制御回路部６は、商用電源ＡＣと接続させた非常用照明器具１０の電源端子７を介して、制御回路部６を駆動するための電力が受電できるように構成している。なお、電源端子７は、コネクタで構成することができる。
【００３９】
制御回路部６は、別途に非常用照明器具１０の外部に設けられた照明器具１１の調光制御部１２に制御信号を出力する機能を備えている。照明器具１１は、制御回路部６から出力された制御信号に基づいて調光制御部１２が点灯回路１３を制御して照明器具１１の光源１４（たとえば、蛍光灯、白熱灯やＬＥＤなど）から照射される光を調光する。制御回路部６から出力される制御信号は、出力部４から出力された電流を電流電圧変換したＬＥＤ１ａが受光した光量に対応する電圧値である出力値と、予め設定した所定の設定値との差を小さくさせるものである。
【００４０】
制御回路部６には、ＬＥＤ１ａが受光した光量に対応する出力値と、予め設定した所定の設定値とを比較するコンパレータと、設定値を記憶する記憶手段（たとえば、ＥＥＰＲＯＭなど）と、コンパレータの出力値に基づいて制御信号を生成するマイクロコンピュータからなる制御信号生成部とを備えて構成することができる。
【００４１】
なお、照明器具１１には、光源１４を点灯させる点灯回路１３を備えており、調光制御部１２が光センサ部としての機能を備えた非常用照明器具１０ａの制御回路部６から出力された制御信号に基づいて点灯回路１３を制御することで、光源１４から照射される光量を制御することが可能に構成している。照明器具１１は、白熱灯や蛍光ランプなど光源１４の種類によって種々の構成の点灯回路１３や調光制御部１２を備えたものとすることができる。
【００４２】
本実施形態の非常用照明器具１０は、光源部１のＬＥＤ１ａと、光源部１から出力経路４ａを介してＬＥＤ１ａの光電効果により生じる電流を出力する出力部４とを備えた構成としている。これにより、本実施形態の非常用照明器具１０は、非常時においてＬＥＤ１ａを照明光の照射を確保する光源としての機能と、常時においてＬＥＤ１ａを非常用照明器具１０の周囲からの光を受光して電流を出力可能なフォトダイオードとなる光センサの機能とを発揮可能な構成となる。すなわち、本実施形態の非常用照明器具１０は、簡単な構成で、非常用照明器具１０とは別途に外部に設けられた器具や機器に利用できる光センサの機能を付加することが可能な非常用照明器具１０とすることができる。
【符号の説明】
【００４３】
ＡＣ  商用電源（外部電源）
１  光源部
１ａ  ＬＥＤ
２  蓄電池部
３  点灯制御部
３ａ  給電経路
４  出力部
４ａ  出力経路
６  制御回路部
１０，１０ａ  非常用照明器具
１１  照明器具
１２  調光制御部
１３  点灯回路
１４  光源
【図１】
0005768227.tif 000002